(57)【要約】【課題】コンテンツの視聴者による簡易な投稿によって、当該コンテンツが、視聴者のどのような感情によって注目されたものであるかを検出する。【解決手段】コンテンツサーバ装置２００は、感情の種類およびレベルに関係付けられた評価スタンプ情報とこの評価スタンプ情報が関係付けられたコンテンツデータにおける時刻情報とを受信する評価スタンプ受信部２６１と、コンテンツデータごとに、評価スタンプ受信部２６１が受信した評価スタンプ情報と時刻情報とを集計して当該コンテンツデータに対する感情の評価情報を生成する評価情報生成部２６２と、評価情報生成部２６２が生成した評価情報を記憶する評価情報記憶部２６３と、を備える。【選択図】図１
2014235533.tif 000002
【特許請求の範囲】
【請求項１】
感情の種類およびレベルに関係付けられた評価スタンプ情報と前記評価スタンプ情報が関係付けられたコンテンツデータにおける時刻情報とを受信する評価スタンプ受信部と、
コンテンツデータごとに、前記評価スタンプ受信部が受信した前記評価スタンプ情報と前記時刻情報とを集計して当該コンテンツデータに対する感情の評価情報を生成する評価情報生成部と、
前記評価情報生成部が生成した前記評価情報を記憶する評価情報記憶部と、
を備えるコンテンツ評価装置。
【請求項２】
前記評価情報記憶部に記憶された前記評価情報に基づいて、一または複数のコンテンツデータを選定する選定部、
をさらに備える請求項１記載のコンテンツ評価装置。
【請求項３】
前記選定部は、前記評価情報記憶部に記憶された前記評価情報に基づいて、前記一または複数のコンテンツデータの中から一または複数のチャプタデータをさらに選定する、
請求項２記載のコンテンツ評価装置。
【請求項４】
前記評価情報生成部は、前記集計して得た結果に基づいて、前記感情の種類ごとに、前記レベルの頻度を表すヒストグラムを前記評価情報として生成する、
請求項１から３いずれか一項記載のコンテンツ評価装置。
【請求項５】
前記評価情報生成部は、前記集計して得た結果に基づいて、前記感情の種類ごとに、前記レベルの合計値を前記評価情報として生成する、
請求項１から３いずれか一項記載のコンテンツ評価装置。
【請求項６】
コンテンツデータを提示するコンテンツ提示部と、
前記コンテンツ提示部が提示する前記コンテンツデータに応じて、感情の種類およびレベルに関係付けられた評価スタンプ情報を前記コンテンツデータにおける時刻情報にとともに取得する評価スタンプ取得部と、
前記評価スタンプ取得部が取得した前記評価スタンプ情報と前記時刻情報とを送信する評価スタンプ送信部と、
を備えるコンテンツ提示装置。
【請求項７】
評価スタンプ受信部が、感情の種類およびレベルに関係付けられた評価スタンプ情報と前記評価スタンプ情報が関係付けられたコンテンツデータにおける時刻情報とを受信する評価スタンプ受信ステップと、
評価情報生成部が、コンテンツデータごとに、前記評価スタンプ受信ステップにおいて受信された前記評価スタンプ情報と前記時刻情報とを集計して当該コンテンツデータに対する感情の評価情報を生成する評価情報生成ステップと、
評価情報記憶部が、前記評価情報生成ステップにおいて生成された前記評価情報を記憶する評価情報記憶ステップと、
を有するコンテンツ評価方法。
【請求項８】
記憶部を備えるコンピュータに、
感情の種類およびレベルに関係付けられた評価スタンプ情報と前記評価スタンプ情報が関係付けられたコンテンツデータにおける時刻情報とを受信する評価スタンプ受信ステップと、
コンテンツデータごとに、前記評価スタンプ受信ステップにおいて受信した前記評価スタンプ情報と前記時刻情報とを集計して当該コンテンツデータに対する感情の評価情報を生成する評価情報生成ステップと、
前記評価情報生成ステップにおいて生成した前記評価情報を前記記憶部に記憶させる評価情報記憶ステップと、
を実行させるためのコンテンツ評価プログラム。
【請求項９】
コンテンツ評価装置とコンテンツ管理装置とを備えるコンテンツ供給システムであって、
前記コンテンツ評価装置は、
感情の種類およびレベルに関係付けられた評価スタンプ情報と前記評価スタンプ情報が関係付けられたコンテンツデータにおける時刻情報とを受信する評価スタンプ受信部と、
コンテンツデータごとに、前記評価スタンプ受信部が受信した前記評価スタンプ情報と前記時刻情報とを集計して当該コンテンツデータに対する感情の評価情報を生成する評価情報生成部と、
前記評価情報生成部が生成した前記評価情報を記憶する評価情報記憶部と、
前記記憶部に記憶された前記評価情報に基づいて、一または複数のコンテンツデータを選定する選定部と、
を備え、
前記コンテンツ管理装置は、
複数のコンテンツデータそれぞれに関する関連情報を記憶するコンテンツ関連情報記憶部と、
前記コンテンツ評価装置における前記選定部が選定した前記一または複数のコンテンツデータに関する関連情報を前記コンテンツ関連情報記憶部から読み込み、前記関連情報を送信する関連情報送信部と、
を備える、
コンテンツ供給システム。
【発明の詳細な説明】
【技術分野】
【０００１】
本発明は、コンテンツ評価装置、コンテンツ提示装置、コンテンツ評価方法、コンテンツ評価プログラム、およびコンテンツ供給システムに関する。
【背景技術】
【０００２】
不特定多数の人々が投稿したコメント情報を用いて、人気の高い放送番組を自動的に録画し、あるいは、その番組の視聴を推奨する選局案内を提示する記録再生装置が知られている（例えば、特許文献１参照）。この特許文献１に開示された記録再生装置は、投稿されたコメント情報の数や投稿者の数、およびコメント情報の内容を解析することによって、注目度が高い人気番組を検出するものである。
【先行技術文献】
【特許文献】
【０００３】
【特許文献１】特開２０１２−４９９９５号公報
【発明の概要】
【発明が解決しようとする課題】
【０００４】
しかしながら、上記の記録再生装置は、注目度が高いコンテンツを検出することはできるものの、コメント情報の投稿者がどのような感情をもってそのコンテンツに注目したかについて検出することができなかった。また、視聴者は、番組を見た感想や印象深いシーンの紹介等、テキスト情報を入力する必要があるため、投稿に手間がかかっていた。
【０００５】
本発明は、上記事情に鑑みてなされたものであり、コンテンツの視聴者による簡易な投稿によって、当該コンテンツが、視聴者のどのような感情によって注目されたものであるかを検出することができる、コンテンツ評価装置、コンテンツ提示装置、コンテンツ評価方法、コンテンツ評価プログラム、およびコンテンツ供給システムを提供することを目的とする。
【課題を解決するための手段】
【０００６】
［１］上記の課題を解決するため、本発明の一態様であるコンテンツ評価装置は、感情の種類およびレベルに関係付けられた評価スタンプ情報と前記評価スタンプ情報が関係付けられたコンテンツデータにおける時刻情報とを受信する評価スタンプ受信部と、コンテンツデータごとに、前記評価スタンプ受信部が受信した前記評価スタンプ情報と前記時刻情報とを集計して当該コンテンツデータに対する感情の評価情報を生成する評価情報生成部と、前記評価情報生成部が生成した前記評価情報を記憶する評価情報記憶部と、を備える。
【０００７】
［２］上記［１］記載のコンテンツ評価装置において、前記評価情報記憶部に記憶された前記評価情報に基づいて、一または複数のコンテンツデータを選定する選定部、をさらに備える。
［３］上記［２］記載のコンテンツ評価装置において、前記選定部は、前記評価情報記憶部に記憶された前記評価情報に基づいて、前記一または複数のコンテンツデータの中から一または複数のチャプタデータをさらに選定する。
［４］上記［１］から［３］いずれか一項記載のコンテンツ評価装置において、前記評価情報生成部は、前記集計して得た結果に基づいて、前記感情の種類ごとに、前記レベルの頻度を表すヒストグラムを前記評価情報として生成する。
［５］上記［１］から［３］いずれか一項記載のコンテンツ評価装置において、前記評価情報生成部は、前記集計して得た結果に基づいて、前記感情の種類ごとに、前記レベルの合計値を前記評価情報として生成する。
【０００８】
［６］上記の課題を解決するため、本発明の一態様であるコンテンツ提示装置は、コンテンツデータを提示するコンテンツ提示部と、前記コンテンツ提示部が提示する前記コンテンツデータに応じて、感情の種類およびレベルに関係付けられた評価スタンプ情報を前記コンテンツデータにおける時刻情報にとともに取得する評価スタンプ取得部と、前記評価スタンプ取得部が取得した前記評価スタンプ情報と前記時刻情報とを送信する評価スタンプ送信部と、を備える。
【０００９】
［７］上記の課題を解決するため、本発明の一態様であるコンテンツ評価方法は、評価スタンプ受信部が、感情の種類およびレベルに関係付けられた評価スタンプ情報と前記評価スタンプ情報が関係付けられたコンテンツデータにおける時刻情報とを受信する評価スタンプ受信ステップと、評価情報生成部が、コンテンツデータごとに、前記評価スタンプ受信ステップにおいて受信された前記評価スタンプ情報と前記時刻情報とを集計して当該コンテンツデータに対する感情の評価情報を生成する評価情報生成ステップと、評価情報記憶部が、前記評価情報生成ステップにおいて生成された前記評価情報を記憶する評価情報記憶ステップと、を有する。
【００１０】
［８］上記の課題を解決するため、本発明の一態様であるコンテンツ評価プログラムは、記憶部を備えるコンピュータに、感情の種類およびレベルに関係付けられた評価スタンプ情報と前記評価スタンプ情報が関係付けられたコンテンツデータにおける時刻情報とを受信する評価スタンプ受信ステップと、コンテンツデータごとに、前記評価スタンプ受信ステップにおいて受信した前記評価スタンプ情報と前記時刻情報とを集計して当該コンテンツデータに対する感情の評価情報を生成する評価情報生成ステップと、前記評価情報生成ステップにおいて生成した前記評価情報を前記記憶部に記憶させる評価情報記憶ステップと、を実行させる。
【００１１】
［９］上記の課題を解決するため、本発明の一態様であるコンテンツ供給システムは、コンテンツ評価装置とコンテンツ管理装置とを備えるコンテンツ供給システムであって、前記コンテンツ評価装置は、感情の種類およびレベルに関係付けられた評価スタンプ情報と前記評価スタンプ情報が関係付けられたコンテンツデータにおける時刻情報とを受信する評価スタンプ受信部と、コンテンツデータごとに、前記評価スタンプ受信部が受信した前記評価スタンプ情報と前記時刻情報とを集計して当該コンテンツデータに対する感情の評価情報を生成する評価情報生成部と、前記評価情報生成部が生成した前記評価情報を記憶する評価情報記憶部と、前記記憶部に記憶された前記評価情報に基づいて、一または複数のコンテンツデータを選定する選定部と、を備え、前記コンテンツ管理装置は、複数のコンテンツデータそれぞれに関する関連情報を記憶するコンテンツ関連情報記憶部と、前記コンテンツ評価装置における前記選定部が選定した前記一または複数のコンテンツデータに関する関連情報を前記コンテンツ関連情報記憶部から読み込み、前記関連情報を送信する関連情報送信部と、を備える。
【発明の効果】
【００１２】
本発明によれば、コンテンツの視聴者による簡易な投稿によって、当該コンテンツが、視聴者のどのような感情によって注目されたものであるかを検出することができる。
【図面の簡単な説明】
【００１３】
【図１】本発明の一実施形態における、コンテンツ提供システムの概略の全体構成を示すブロック図である。
【図２】本発明の一実施形態における、作品紹介画像からの画像の遷移例を示す図である。
【図３】本発明の一実施形態における、ポップアップ画像の例を示す図である。
【図４】本発明の一実施形態における、コンテクストメニュー画像の例を示す図である。
【図５】本発明の一実施形態における、ソーシャルモード画像の例を示す図である。
【図６】本発明の一実施形態における、アイコン画像を選択するためのアイコン選択画像の例を示す図である。
【図７】本発明の一実施形態における、ソーシャルモード画像の遷移例を示す図である。
【図８】本発明の一実施形態における、所定閾値以上の特徴量を示すチャプタが無い場合のソーシャルモード画像の例を示す図である。
【図９】本発明の一実施形態における、盛り上がり度グラフの生成手順の例を示す図である。
【図１０】本発明の一実施形態における、チャプタの生成手順の例を示す図である。
【図１１】本発明の一実施形態における、所定閾値以上の特徴量を示すチャプタが１０件未満である場合のソーシャルモード画像の例を示す図である。
【図１２】本発明の一実施形態における、評価情報生成部が生成した感情の評価情報を示すヒストグラムの例である。
【図１３】本発明の一実施形態における、評価情報生成部が生成した感情の評価情報を示す棒グラフの例である。
【図１４】本発明の一実施形態における、コンテンツ提示装置が表示装置に表示させる作品紹介画像の例である。
【図１５】本発明の一実施形態における、コンテンツ提示装置が表示装置に表示させるスタンプ選択領域の例である。
【図１６】本発明の一実施形態の変形例における、コンテンツ提示装置が表示装置に表示させる作品紹介画像の例である。
【発明を実施するための形態】
【００１４】
以下、本発明を実施するための形態について、図面を参照して詳細に説明する。
図１は、本発明の一実施形態における、コンテンツ提供システムの概略の全体構成を示すブロック図である。コンテンツ提供システム６００は、ソーシャル・ビデオオンデマンド（Ｓｏｃｉａｌ  ＶＯＤ；Ｓｏｃｉａｌ  Ｖｉｄｅｏ  Ｏｎ  Ｄｅｍａｎｄ）のサービスを実現する。
【００１５】
コンテンツ提供システム６００は、操作装置１０と、コンテンツ提示装置３０と、表示装置４０と、中継装置２０と、コンテンツサーバ装置２００と、電子機器３００とを含んで構成される。ここで、操作装置１０、中継装置２０、コンテンツ提示装置３０、および表示装置４０を、同一の宅内１００に備えてもよい。
【００１６】
まず、操作装置１０およびコンテンツ提示装置３０について説明する。
操作装置１０は、コンテンツ提示装置３０を遠隔操作（リモートコントロール）する装置である。操作装置１０は、操作部１１と、送信部１２とを備える。
【００１７】
操作部１１は、ユーザ（コンテンツ提示装置３０の視聴者でもある。）による操作入力を受け付け、操作入力に応じた情報を送信部１２に出力する。操作部１１は、操作入力を受け付けるための操作手段として、例えば、再生ボタン、停止ボタン、正方向早送り再生ボタン、逆方向早送り再生ボタン、正方向スキップ再生ボタン、逆方向スキップ再生ボタン、決定ボタン、戻るボタン、メニューボタン、赤ボタン（赤色のボタン）、青ボタン（青色のボタン）、および方向ボタン（例えば、上ボタン、下ボタン、左ボタン、および右ボタン）を備える。
【００１８】
ユーザは、操作装置１０の方向ボタンを操作することにより、表示装置４０の画面に表示されたカーソルを、移動させることができる。また、ユーザは、操作装置１０を操作することにより、コンテンツ提示装置３０を介してコンテンツサーバ装置２００に、評価スタンプ（以下、単に“スタンプ”ともいうことがある。）を投稿することができる。この評価スタンプは、感情や評価の内容を表す画像データである。例えば、ユーザは、操作装置１０を操作することにより、感情を表すキャラクタであるキャラクタ型スタンプを投稿することができる。また、ユーザは、操作装置１０を操作することにより、感情表現を表す言葉を含む吹き出し型スタンプを投稿することができる。また、ユーザは、操作装置１０を操作することにより、自らを示すアイコン画像（例えば、顔が描かれた画像）を選択することができる。なお、選択したアイコン画像は、コンテンツを視聴している期間のみ有効とされてもよい。
【００１９】
送信部１２は、操作部１１から供給された情報を、コンテンツ提示装置３０に所定の通信規格（例えば、赤外線を用いる通信規格）により送信する。
【００２０】
コンテンツ提示装置３０（Ｓｅｔ  Ｔｏｐ  Ｂｏｘ（ＳＴＢ）；セットトップボックス）は、通信部３１と、コンテンツ提示部３２と、記憶部３３と、評価スタンプ取得部３４とを備える。
【００２１】
通信部３１は、操作装置１０における送信部１２が送信した情報を受信し、その情報をコンテンツ提示部３２に供給する。
また、通信部３１には、推奨されるコンテンツデータ（推奨コンテンツデータ）の内容、属性を示す関連情報（コンテンツ関連情報）と、当該推奨コンテンツデータに対する評価情報とが、通信回線４００および中継装置２０を介して、コンテンツサーバ装置２００から入力される。本実施形態において、コンテンツデータは、映像データを含むデータである。コンテンツ関連情報は、例えば、コンテンツの代表画像（例えば、タイトルが表された画像）、コンテンツデータの識別情報（コンテンツ識別情報）である。評価情報とは、コンテンツデータに対して視聴者の感情を定量化した情報である。
【００２２】
また、通信部３１には、コンテンツデータ（以下、単に“コンテンツ”ともいうことがある。）と、当該コンテンツデータのチャプタ（ソーシャル・チャプタ）ごとに定められた特徴量のグラフを示す情報とが、通信回線４００および中継装置２０を介して、コンテンツサーバ装置２００から入力される。また、特徴量は、同一のソーシャルに属するユーザにより定まる特徴量であり、例えば、コンテンツを視聴したユーザによるコメントの投稿数、コンテンツを視聴したユーザによる評価スタンプの投稿数である。コンテンツのチャプタごとに定められた特徴量のグラフの詳細については後述する。
【００２３】
通信部３１には、コンテンツ提示部３２から、所定の情報が入力される。通信部３１は、入力された当該所定の情報を、中継装置２０を介してコンテンツサーバ装置２００に送信する。当該所定の情報は、例えば、コンテンツデータの送信を要求するための送信要求情報、コンテンツを変速再生またはスキップ再生させるための操作情報、推奨コンテンツデータを要求するための推奨コンテンツ要求情報、およびコンテンツ提示装置３０を示す識別情報である。また、当該所定の情報は、コンテンツ提示部３２が提示するコンテンツデータに応じて評価スタンプ取得部３４によって取得された、感情の種類およびレベルに関係付けられた評価スタンプ情報、および取得時の当該コンテンツデータにおける時刻情報である。つまり、通信部３１は、評価スタンプ送信部としての機能を有している。また、例えば、通信部３１は、操作装置１０から取得した情報を、コンテンツ提示部３２による制御に応じて、中継装置２０を介してコンテンツサーバ装置２００に送信する。
【００２４】
記憶部３３は、各種の情報を記憶する。当該各種の情報は、例えば、スタンプ画像情報、アイコン画像情報、テキスト情報、およびプログラム情報である。記憶部３３は、コンテンツ提示部３２から要求された当該各種の情報を、コンテンツ提示部３２に出力する。
【００２５】
コンテンツ提示部３２には、当該各種の情報が、記憶部３３から入力される。コンテンツ提示部３２は、記憶部３３に記憶されたプログラム情報に基づいて動作してもよい。コンテンツ提示部３２には、通信部３１により受信されたコンテンツデータと、通信部３１により受信されたコンテンツデータのチャプタごとに定められた特徴量のグラフを示す情報とが、通信部３１から入力される。コンテンツ提示部３２は、通信部３１により受信されたコンテンツデータと、当該コンテンツデータのチャプタごとに定められた特徴量のグラフとを、表示装置４０に表示させる。
【００２６】
また、コンテンツ提示部３２には、コンテンツサーバ装置２００から通信回線４００および中継装置２０を介して通信部３１により受信されたコンテンツ関連情報および評価情報が、通信部３１から入力される。コンテンツ提示部３２は、通信部３１により受信されたコンテンツ関連情報および評価情報を、表示装置４０に表示させる。これらの表示形態の詳細については後述する。
【００２７】
コンテンツ提示部３２には、スタンプ画像情報、アイコン画像情報、および電子機器３００のユーザが投稿したコメントを示すテキスト情報に基づくコメント画像情報が、通信部３１から入力される。コンテンツ提示部３２は、評価スタンプ画像、アイコン画像、および電子機器３００のユーザが投稿したコメントを示すテキスト情報に基づくコメント画像を、表示装置４０に表示させる。
【００２８】
コンテンツ提示部３２は、予め定められた操作入力（例えば、正方向スキップ再生ボタンの操作入力）を示す情報が入力された場合、コンテンツサーバ装置２００が提供中のチャプタをスキップし、コンテンツのうちで特徴量が上位にある他のチャプタを提供するよう、操作入力に応じた情報を通信部３１に送信する。
【００２９】
表示装置４０（提示装置）は、コンテンツ提示部３２による制御に基づいて、コンテンツ関連情報および評価情報を含む作品紹介画像を画面に表示する。また、表示装置４０は、コンテンツ提示部３２による制御に基づいて、コンテンツデータにおける映像と、当該コンテンツデータのチャプタごとに定められた特徴量のグラフとを、画面に表示する。表示装置４０は、評価スタンプ画像（例えば、キャラクタ型スタンプ画像、吹き出し型スタンプ画像）、アイコン画像、および電子機器３００のユーザが投稿したコメントを示すテキスト情報に基づくコメント画像を、画面に表示してもよい。また、表示装置４０は、スピーカを備えていてもよく、その場合、コンテンツデータにおける音声をスピーカから出力してもよい。
【００３０】
評価スタンプ取得部３４は、コンテンツ提示部３２が提示するコンテンツデータに応じて、感情の種類およびレベルに関係付けられた評価スタンプ情報を当該コンテンツデータにおける時刻情報にとともに取得する。
【００３１】
中継装置２０（アクセスポイント）は、コンテンツ提示装置３０の通信部３１と、コンテンツサーバ装置２００との間の通信を、通信回線４００を介して中継する。ここで、中継装置２０は、有線または無線の通信規格により通信を中継してもよい。
【００３２】
電子機器３００は、宅内１００とは異なる宅内（例えば、コンテンツ提示装置３０のユーザと同じソーシャルに属する他のユーザの宅内）に備えられてもよい。また、電子機器３００の構成は、操作装置１０、中継装置２０、コンテンツ提示装置３０、および表示装置４０と同じ構成を含んでいてもよい。電子機器３００は、通信回線４００を介して、コンテンツサーバ装置２００と通信する。例えば、電子機器３００は、通信回線４００を介してコンテンツサーバ装置２００に、コメントを示すテキスト情報を投稿する。なお、電子機器３００は、複数でもよい。
【００３３】
次に、表示装置４０に表示される画像の遷移例について説明する。
図２は、作品紹介画像からの画像の遷移例である。作品紹介画像は、推奨コンテンツデータを紹介するための画像である。コンテンツサーバ装置２００は、操作入力に応じた情報に基づいて表示装置４０に表示される画像が遷移するよう、コンテンツの内容を示す情報を生成する。コンテンツ提示部３２は、コンテンツサーバ装置２００により生成されたコンテンツの内容を示す情報に基づいて、表示装置４０に画像を表示させる。
【００３４】
具体的には、作品紹介画像１０００には、キー画像の一つとして、視聴キーが表示されている。作品紹介画像１０００が表示されている状態で、視聴キーが押下された場合、コンテンツ提示部３２は、ポップアップ画像１１００を、表示装置４０に表示させる。
【００３５】
図３は、ポップアップ画像の例である。ポップアップ画像１１００には、操作を案内するための文字列を示す画像「ソーシャル視聴確認  本作品はソーシャル視聴に対応しています。再生モードを選択してください。」が表示されている。また、ポップアップ画像１１００には、再生モードを選択させるためのキー画像として、ソーシャル視聴キー画像１１１０と、通常視聴キー画像１１２０とが表示されている。
【００３６】
図２に戻り、画像の遷移例の説明を続ける。ポップアップ画像１１００が表示されている状態で、通常視聴キー画像１１２０が押下された場合、コンテンツ提示部３２は、通常視聴画像１２００（ビデオスクリーン）、すなわち、受信したコンテンツデータの映像を、全画面で表示装置４０に表示させる。一方、ポップアップ画像１１００が表示されている状態で、ソーシャル視聴キー画像１１１０が押下された場合、コンテンツ提示部３２は、ソーシャルモード画像１４００を、表示装置４０に表示させる。
【００３７】
通常視聴画像１２００が表示されている状態で、メニューボタンが押下された場合、コンテンツ提示部３２は、コンテクストメニュー画像１３００を、表示装置４０に表示させる。一方、通常視聴画像１２００が表示されている状態で、赤ボタンが押下された場合、コンテンツ提示部３２は、ソーシャルモード画像１４００を、表示装置４０に表示させる。ソーシャルモード画像１４００の詳細については、後述する。
【００３８】
図４は、コンテクストメニュー画像の例である。コンテクストメニュー画像１３００には、ソーシャルモード画像を表示させるためのソーシャルモードキー画像１３１０が、コンテクストメニューの一つとして表示されている。
【００３９】
図２に戻り、画像の遷移例の説明を続ける。コンテクストメニュー画像１３００が表示されている状態で、ソーシャルモードキー画像１３１０が押下された場合、コンテンツ提示部３２は、ソーシャルモード画像１４００を、表示装置４０に表示させる。
【００４０】
図５は、ソーシャルモード画像の例である。ソーシャルモード画像１４００には、その一部（図５では、一例として、左上）に、コンテンツデータにおける映像が表示されている。また、ソーシャルモード画像１４００には、アイコン選択キー画像１４１１と、スタンプ選択キー画像１４１３と、スタンプ履歴選択キー画像１４１４と、吹き出し型スタンプ選択キー画像１４１５とが表示されている。スタンプ選択キー画像１４１３は、キャラクタ型スタンプ画像の候補を表示させるためのキー画像である。また、吹き出し型スタンプ選択キー画像１４１５は、吹き出し型スタンプ画像の候補を表示させるためのキー画像である。また、ソーシャルモード画像１４００には、下キー画像１４２１と、上キー画像１４３１とが表示されている。
【００４１】
また、図５において、ソーシャルモード画像１４００には、アイコン画像２０００、アイコン画像２１００、アイコン画像２２００、キャラクタ型スタンプ画像３０００、吹き出し型スタンプ画像３１００、およびコメント画像４０００が、タイムライン表示領域１４４０に、投稿時刻を表す時刻情報とともに（タイムラインにしたがって）表示されている。
【００４２】
ここで、キャラクタ型スタンプ画像３０００、吹き出し型スタンプ画像３１００、およびコメント画像４０００は、電子機器３００のユーザによって、コンテンツサーバ装置２００に対して、時刻情報とともに投稿された画像である。なお、キャラクタ型スタンプ画像３０００、吹き出し型スタンプ画像３１００、およびコメント画像４０００は、コンテンツ提示装置３０のユーザによって、コンテンツサーバ装置２００に対して、コンテンツの時刻情報とともに投稿された画像でもよい。評価スタンプ取得部３４は、キャラクタ型スタンプ画像３０００および吹き出し型スタンプ画像３１００を、時刻情報とともにタイムライン表示領域１４４０に設定する。
【００４３】
図２に戻り、画像の遷移例の説明を続ける。ソーシャルモード画像１４００が表示されている状態で、赤ボタンが押下された場合、コンテンツ提示部３２は、通常視聴画像１２００を、表示装置４０に表示させる。また、ソーシャルモード画像１４００が表示されている状態で、メニューボタンが押下された場合、コンテンツ提示部３２は、コンテクストメニュー画像１３００を、表示装置４０に表示させる。また、ソーシャルモード画像１４００が表示されている状態で、停止ボタンまたは戻るボタンが押下された場合、コンテンツ提示部３２は、作品紹介画像１０００を、表示装置４０に表示させる。
【００４４】
ソーシャルモード画像１４００が表示されている状態で、カーソルがアイコン選択キー画像１４１１に合わされ、決定ボタンが押下された場合、コンテンツ提示部３２は、ソーシャルモード画像の一形態としてのアイコン選択画像１４１０を、表示装置４０に表示させる。
【００４５】
図６は、アイコン画像を選択するためのアイコン選択画像の例である。アイコン選択画像１４１０には、コンテンツデータにおける映像が表示されている。アイコン選択画像１４１０には、アイコン選択キー画像１４１１が、フォーカス表示（ハイライト表示）されている。また、アイコン選択画像１４１０には、アイコン選択領域１４１２と、スタンプ選択キー画像１４１３と、スタンプ履歴選択キー画像１４１４と、吹き出し型スタンプ選択キー画像１４１５とが表示されている。また、アイコン選択領域１４１２には、複数のアイコン画像が選択可能に表示されている。
【００４６】
図２に戻り、画像の遷移例の説明を続ける。ソーシャルモード画像１４００が表示されている状態で、下ボタンが押下された場合、コンテンツ提示部３２は、ソーシャルモード画像の一形態としての下キー・フォーカス画像１４２０を、表示装置４０に表示させる。下キー・フォーカス画像１４２０では、下キー画像１４２１（例えば、図５を参照）が、フォーカス表示される。
【００４７】
下キー・フォーカス画像１４２０が表示されている状態で、上ボタンが押下された場合、コンテンツ提示部３２は、ソーシャルモード画像１４００を、表示装置４０に表示させる。また、下キー・フォーカス画像１４２０が表示されている状態で、右ボタンが押下された場合、コンテンツ提示部３２は、上キー・フォーカス画像１４３０を、表示装置４０に表示させる。上キー・フォーカス画像１４３０では、上キー画像１４３１（例えば、図５を参照）が、フォーカス表示される。また、下キー・フォーカス画像１４２０が表示されている状態で、停止ボタンまたは戻るボタンが押下された場合、コンテンツ提示部３２は、作品紹介画像１０００を、表示装置４０に表示させる。
【００４８】
上キー・フォーカス画像１４３０が表示されている状態で、左ボタンが押下された場合、コンテンツ提示部３２は、下キー・フォーカス画像１４２０を、表示装置４０に表示させる。また、上キー・フォーカス画像１４３０が表示されている状態で、停止ボタンまたは戻るボタンが押下された場合、コンテンツ提示部３２は、作品紹介画像１０００を、表示装置４０に表示させる。
【００４９】
アイコン選択画像１４１０が表示されている状態で、カーソルがアイコン選択キー画像１４１１に合わされ、決定ボタンが押下された場合、または、カーソルがアイコン選択領域１４１２（例えば、図６を参照）の所望のアイコン画像に合わされ、決定ボタンが押下された場合、コンテンツ提示部３２は、ソーシャルモード画像１４００を、表示装置４０に表示させる。また、アイコン選択画像１４１０が表示されている状態で、停止ボタンまたは戻るボタンが押下された場合、コンテンツ提示部３２は、作品紹介画像１０００を、表示装置４０に表示させる。
【００５０】
図７は、ソーシャルモード画像の遷移例である。ソーシャルモード画像１４００−１が表示されている状態で、カーソルがアイコン選択キー画像１４１１（例えば、図５を参照）に合わされ、決定ボタンが押下された場合、コンテンツ提示部３２は、アイコン選択画像１４１０−１を、表示装置４０に表示させる。
【００５１】
ソーシャルモード画像１４００−１が表示されている状態で、カーソルがスタンプ選択キー画像１４１３（例えば、図５を参照）に合わされ、決定ボタンが押下された場合、コンテンツ提示部３２は、アイコン画像が未選択であるか否かを判定する。アイコン画像が未選択である場合（Ｙｅｓ）、コンテンツ提示部３２は、アイコン選択画像１４１０−２を、表示装置４０に表示させる。一方、アイコン画像が未選択でない場合（Ｎｏ）、コンテンツ提示部３２は、スタンプ選択画像１４４０を、表示装置４０に表示させる。
【００５２】
ソーシャルモード画像１４００−１が表示されている状態で、カーソルがスタンプ履歴選択キー画像１４１４（例えば、図５を参照）に合わされ、決定ボタンが押下された場合、コンテンツ提示部３２は、アイコン画像が未選択であるか否かを判定する。アイコン画像が未選択である場合（Ｙｅｓ）、コンテンツ提示部３２は、アイコン選択画像１４１０−３を、表示装置４０に表示させる。一方、アイコン画像が未選択でない場合（Ｎｏ）、コンテンツ提示部３２は、スタンプ履歴選択画像１４５０を、表示装置４０に表示させる。
【００５３】
アイコン選択画像１４１０−１が表示されている状態で、カーソルがアイコン選択領域１４１２のアイコン画像（例えば、図６を参照）に合わされ、決定ボタンが押下された場合、コンテンツ提示部３２は、ソーシャルモード画像１４００−２を、表示装置４０に表示させる。一方、アイコン選択画像１４１０−１が表示されている状態で、カーソルがアイコン選択キー画像１４１１（例えば、図６を参照）に合わされ、決定ボタンが押下された場合、コンテンツ提示部３２は、ソーシャルモード画像１４００−１を、表示装置４０に表示させる。
【００５４】
アイコン選択画像１４１０−２が表示されている状態で、カーソルがアイコン選択領域１４１２のアイコン画像（例えば、図６を参照）に合わされ、決定ボタンが押下された場合、コンテンツ提示部３２は、スタンプ選択画像１４４０を、表示装置４０に表示させる。一方、アイコン選択画像１４１０−２が表示されている状態で、カーソルがアイコン選択キー画像１４１１（例えば、図６を参照）に合わされ、決定ボタンが押下された場合、コンテンツ提示部３２は、ソーシャルモード画像１４００−１を、表示装置４０に表示させる。
【００５５】
アイコン選択画像１４１０−３が表示されている状態で、カーソルがアイコン選択領域１４１２のアイコン画像（例えば、図６を参照）に合わされ、決定ボタンが押下された場合、コンテンツ提示部３２は、スタンプ履歴選択画像１４５０を、表示装置４０に表示させる。一方、アイコン選択画像１４１０−３が表示されている状態で、カーソルがアイコン選択キー画像１４１１（例えば、図６を参照）に合わされ、決定ボタンが押下された場合、コンテンツ提示部３２は、ソーシャルモード画像１４００−１を、表示装置４０に表示させる。
【００５６】
スタンプ選択画像１４４０が表示されている状態で、カーソルがスタンプ選択領域に表示された評価スタンプ画像に合わされ、決定ボタンが押下された場合、コンテンツ提示部３２は、ソーシャルモード画像１４００−２を、表示装置４０に表示させる。一方、スタンプ選択画像１４４０が表示されている状態で、カーソルがスタンプ選択キー画像１４１３（例えば、図５を参照）に合わされ、決定ボタンが押下された場合、コンテンツ提示部３２は、ソーシャルモード画像１４００−１を、表示装置４０に表示させる。
【００５７】
スタンプ履歴選択画像１４５０が表示されている状態で、カーソルがスタンプ選択領域に投稿履歴として表示された評価スタンプ画像に合わされ、決定ボタンが押下された場合、コンテンツ提示部３２は、ソーシャルモード画像１４００−２を、表示装置４０に表示させる。一方、スタンプ履歴選択画像１４５０が表示されている状態で、カーソルがスタンプ履歴選択キー画像１４１４（例えば、図５を参照）に合わされ、決定ボタンが押下された場合、コンテンツ提示部３２は、ソーシャルモード画像１４００−１を、表示装置４０に表示させる。
【００５８】
次に、図１に戻り、コンテンツサーバ装置２００について説明する。
コンテンツサーバ装置２００は、設定部２１０と、生成部２２０と、提供部２３０と、付加部２４０と、記憶部と、評価スタンプ受信部２６１と、評価情報生成部２６２と、評価情報記憶部２６３と、選定部２６４と、関連情報送信部２７１とを備える。
【００５９】
記憶部２５０は、所定の情報を記憶する。当該所定の情報は、例えば、スタンプ画像情報、アイコン画像情報、キー画像情報、作品紹介画像情報、ポップアップ画像情報、コンテクストメニュー情報、アイコン選択画像情報、スタンプ選択画像情報、スタンプ履歴選択情報、テキスト情報、およびプログラム情報である。また、記憶部２５０は、コンテンツデータを記憶する。また、記憶部２５０（コンテンツ関連情報記憶部）は、コンテンツ関連情報を記憶する。また、記憶部２５０は、コンテンツ提示装置３０を示す識別情報、および電子機器３００を示す識別情報などの装置（機器）識別情報を記憶してもよい。記憶部２５０は、提供部２３０から要求された当該所定の情報を、提供部２３０に出力する。
【００６０】
設定部２１０は、コンテンツの再生時間を分割（例えば、１００等分）することにより、コンテンツデータにチャプタを設定する。チャプタの時間は、例えば、コンテンツデータの時間長を１００等分して得られる時間である。または、チャプタの時間を、あらかじめ決められた時間（例えば、“３秒”）としてもよい。この場合、コンテンツデータの最後に、３秒に満たない時間のチャプタが生じ得る。なお、設定部２１０は、コンテンツの内容（例えば、シーンの切り替わり）に応じてチャプタを設定してもよい。
【００６１】
設定部２１０は、コンテンツデータのチャプタごとに特徴量を定める。ここで、特徴量は、例えば、盛り上がり度を示すデータである。より具体的には、特徴量は、例えば、コメントの投稿数、評価スタンプの投稿数である。
【００６２】
生成部２２０は、チャプタごとの特徴量（例えば、チャプタごとのコメントおよび評価スタンプの投稿数）のうち、最上位の特徴量（例えば、最多の投稿数）を検出する。また、生成部２２０は、チャプタごとの特徴量に基づいて、最上位の特徴量を示したチャプタを検出する。
【００６３】
生成部２２０は、チャプタごとに定められた特徴量に基づいて、特徴量のグラフを生成する。生成部２２０は、所定閾値以上の特徴量に基づいて、特徴量のグラフを生成する。ここで、生成部２２０は、コンテンツデータにおける最上位の特徴量（例えば、最多の投稿数）に基づいて、特徴量のグラフの縦軸の長さの上限値を定めてもよい。また、生成部２２０は、検出した最多の投稿数と、特徴量のグラフの縦軸の長さの上限値とが等しくなるように、特徴量のグラフの縦軸の長さを定める。
【００６４】
付加部２４０は、特徴量のグラフにおける、コンテンツの再生中（提供中）の位置に、画像を付加する。また、付加部２４０は、コンテンツのうちで特徴量が上位にある（例えば、投稿数が上位にある）チャプタを示す画像を、特徴量のグラフに付加する。ここで、付加部２４０は、投稿数が上位にあるチャプタが、投稿数が上位にないチャプタとは異なる態様（例えば、色違い）で表示されるよう、特徴量のグラフに、特徴量が上位にあるチャプタを示す画像を付加してもよい。
【００６５】
提供部２３０は、コンテンツデータと、特徴量のグラフとを提供する。より具体的には、提供部２３０は、コンテンツデータと、特徴量のグラフを示す情報とを、中継装置２０を介して、コンテンツ提示装置３０に送信する。以下では、特徴量のグラフは、一例として、盛り上がり度グラフであるものとして説明を続ける。また、提供部２３０は、アイコン画像情報と、スタンプ画像情報と、電子機器３００から投稿されたコメントを示すテキスト情報に基づくコメント画像情報とを、中継装置２０を介して、コンテンツ提示装置３０に送信する。
【００６６】
図８は、所定閾値以上の特徴量を示すチャプタが無い場合のソーシャルモード画像の例がである。ソーシャルモード画像には、コンテンツの再生中の位置を示すチャプタ位置表示画像５１００が、盛り上がり度グラフ表示領域５０００に表示されている。図８では、盛り上がり度グラフ表示領域５０００は、一例として、コンテンツの映像の下側、且つソーシャルモード画像の左側に定められている。
【００６７】
コンテンツサーバ装置２００から初めて送信されたコンテンツに対しては、コメントおよびスタンプの投稿は、コンテンツサーバ装置２００に蓄積されていない。このような場合、生成部２２０は、盛り上がり度グラフを生成しない。また、提供部２３０は、予め定められた操作入力（例えば、正方向スキップ再生ボタンの操作、逆方向スキップ再生ボタンの操作入力）を示す情報が入力されても、チャプタ（ソーシャル・チャプタ）間を移動するスキップ再生（チャプタ送り、チャプタ戻し）を実行しない。
【００６８】
図９は、盛り上がり度グラフの生成手順の例である。前述したように、設定部２１０は、コンテンツデータの再生時間（収録時間）を例えば１００等分することにより、コンテンツデータにチャプタを設定する。また、生成部２２０は、チャプタ（等分された再生時間帯）ごとのコメントの投稿数のうち、最多の投稿数を示したチャプタを検出する。
【００６９】
生成部２２０は、検出した最多の投稿数と、盛り上がり度グラフの縦軸の長さの上限値とが等しくなるように、盛り上がり度グラフの縦軸の長さを定める。また、生成部２２０は、盛り上がり度グラフを定めるドットとして、投稿数を示すドットを、チャプタごとにプロットする。
【００７０】
生成部２２０は、所定閾値以上の投稿数を示すドット、例えば、値“０（ゼロ）”以外の投稿数を示すドット（図９の最下段では、破線で囲まれた領域以外のドット）を、時間軸順（時系列）に繋ぐことにより、盛り上がり度グラフを生成する。
【００７１】
図１０は、チャプタの生成手順の例である。図９と同様に、設定部２１０は、コンテンツデータの再生時間を例えば１００等分することにより、コンテンツデータにチャプタを定める。生成部２２０は、チャプタ（等分された再生時間帯）ごとの特徴量を検出し、特徴量が上位を示したチャプタ（ソーシャル・チャプタ）を順位付けする。例えば、生成部２２０は、チャプタごとのコメントの投稿数を検出し、投稿数が上位を示したチャプタを順位付けする。図１０では、一例として、第１位から第１０位までの１０件のチャプタが順位付けされている。
【００７２】
なお、特徴量が上位を示したチャプタが所定件数（例えば、１０件）未満である場合には、生成部２２０は、特徴量が上位を示した全てのチャプタに対して、当該所定件数未満の順位付けをすればよい。例えば、特徴量が上位を示したチャプタが９件しかない場合、生成部２２０は、特徴量が上位を示した９件のチャプタに対して、第９位までの順位付けをすればよい。また、生成部２２０は、同率順位が発生した場合、コンテンツの再生時間（収録時間）における未来時刻に位置するチャプタを優先して、そのチャプタを上位に順位付けしてもよい。
【００７３】
提供部２３０は、予め定められた操作入力（例えば、正方向スキップ再生ボタンの操作入力、逆方向スキップ再生ボタンの操作入力）を示す情報が入力された場合、特徴量が上位を示したチャプタ（チャプタ番号）間を移動するスキップ再生を実行する。
【００７４】
図１１は、所定閾値以上の特徴量を示すチャプタが１０件未満である場合のソーシャルモード画像の例である。ソーシャルモード画像には、コンテンツの内容である映像と、アイコン画像と、投稿されたコメントを示す画像と、投稿された評価スタンプを示す画像とが表示されている。
【００７５】
ソーシャルモード画像には、所定の位置（図１１では、ソーシャルモード画像の動画の直下）に、盛り上がり度グラフ表示領域５０００が定められている。また、盛り上がり度グラフ表示領域５０００には、盛り上がり度グラフ５３００が表示される。
【００７６】
ここで、付加部２４０は、盛り上がり度グラフ５３００の折れ線上において、再生中の位置に、再生位置表示画像５１００（図１１では、丸印）を付加する。また、付加部２４０は、特徴量が上位を示したチャプタが、他のチャプタとは異なる態様（例えば、色違い）で表示されるよう、盛り上がり度グラフ５３００に、チャプタ位置表示画像５２００（図１１では、縦長の矩形）を付加する。図１１では、盛り上がり度グラフ５３００には、７個のチャプタ位置表示画像５２００が付加されている。なお、付加部２４０は、再生中のチャプタが、他のチャプタとは異なる態様（例えば、異なる明るさ）で表示されるよう、盛り上がり度グラフ５３００において再生中の位置に、他のチャプタとは異なる態様のチャプタ位置表示画像５２００を付加してもよい。また、付加部２４０は、盛り上がり度グラフ５３００に、シークバーを示す画像を付加してもよい。
【００７７】
提供部２３０は、予め定められた操作入力（例えば、正方向スキップ再生ボタンの操作入力、逆方向スキップ再生ボタンの操作入力）を示す情報が入力された場合、特徴量が上位を示したチャプタ（チャプタ番号）間を移動するスキップ再生を実行する。
【００７８】
具体的には、提供部２３０は、正方向スキップ再生ボタンの操作入力を示す情報が入力された場合、再生中のチャプタの位置から未来時刻（正方向）の位置にある、特徴量が上位を示したチャプタに、チャプタ送りを実行することにより、スキップ再生を実行する。一方、提供部２３０は、逆方向スキップ再生ボタンの操作入力を示す情報が入力された場合、再生中のチャプタの位置から、過去時刻（逆方向）の位置にある、特徴量が上位を示したチャプタに、チャプタ戻しを実行することにより、スキップ再生を実行する。なお、特徴量が上位を示すチャプタが移動先に無い場合、スキップ再生は実行されない。
【００７９】
図１の説明に戻り、評価スタンプ受信部２６１は、感情の種類およびレベルに関係付けられた評価スタンプ情報とこの評価スタンプ情報が関係付けられたコンテンツデータにおける時刻情報とを、中継装置２０および通信回線４００を介してコンテンツ提示装置３０から受信する。感情の種類は、人間の感情の種別を表す情報である。本実施形態では、例えば、感情を、「興味」、「驚き」、「期待」、「愛情」、「喜び」、「悲しみ」、および「怒り」の７個に分類する。そして、本実施形態では、例えば、感情「興味」を“Ｉｎｔｅｒｅｓｔ”、感情「驚き」を“Ｓｕｒｐｒｉｓｅ”、感情「期待」を“Ｈｏｐｅ”、感情「愛情」を“Ｌｏｖｅ”、感情「喜び」を“Ｈａｐｐｉｎｅｓｓ”、感情「悲しみ」を“Ｓａｄｎｅｓｓ”、および感情「怒り」を“Ａｎｇｅｒ”として識別する。
【００８０】
レベルは、感情の程度（度合）を示す情報である。本実施形態では、例えば、レベルを、「非常に」、「とても」、「ふつう」、「少し」、および「全然」の５段階とする。そして、本実施形態では、例えば、レベル「非常に」を“５”、レベル「とても」を“４”、レベル「ふつう」を“３”、レベル「少し」を“２”、レベル「全然」を“１”とする。
【００８１】
よって、本実施形態では、例えば、感情が「驚き」、レベルが「とても」である評価スタンプ情報を、“Ｓｕｒｐｒｉｓｅ”および“４”を含む情報とする。
【００８２】
時刻情報は、コンテンツデータにおいてフレームを特定する時刻情報（例えば、時：分：秒．フレーム）である。
【００８３】
評価スタンプ受信部２６１は、受信した評価スタンプ情報および時刻情報を、評価情報生成部２６２に供給する。
【００８４】
評価情報生成部２６２は、評価スタンプ受信部２６１が供給する評価スタンプ情報および時刻情報を取り込み、コンテンツデータごとに、評価スタンプ情報および時刻情報を集計して当該コンテンツデータに対する感情の評価情報を生成する。
【００８５】
ここで、評価情報生成部２６２が生成する感情の評価情報について、具体例を２種類挙げて説明する。
【００８６】
＜評価情報の第１の例＞
評価情報生成部２６２は、コンテンツデータごとに集計して得た結果に基づいて、感情の種類ごとに、レベルの頻度を表すヒストグラムを感情の評価情報として生成する。つまり、評価情報生成部２６２は、感情の種類別に、横軸に評価スタンプ数の階級、縦軸にレベルの頻度をとった統計データ（ヒストグラム）を、一コンテンツデータあたりの当該感情の評価情報として生成する。
【００８７】
図１２は、評価情報生成部２６２が生成した感情の評価情報を示すヒストグラムの例である。具体的に、図１２は、横軸に感情が“驚き”である場合の評価スタンプ数の級数、縦軸にレベルの頻度をとった場合の例である。図１２が示す評価情報によれば、この評価情報に係るコンテンツデータは、比較的“驚き”の度合が高いコンテンツであることが分かる。
したがって、評価情報生成部２６２が生成する当該第１の例による感情の評価情報によれば、コンテンツデータに対する感情の種類ごとに評価の度合を得ることができる。
【００８８】
また、評価情報生成部２６２は、感情の種類ごとに、評価の度合が最も高い級数に含まれる評価スタンプ情報に対応する時刻情報に基づいて、時刻情報が示す時刻の平均を算出してもよい。
これにより、評価が高いシーンおよびその近辺の時刻を得ることができる。
【００８９】
＜評価情報の第２の例＞
評価情報生成部２６２は、コンテンツデータごとに集計して得た結果に基づいて、感情の種類ごとに、レベルの合計値（レベル値）を評価情報として生成する。つまり、評価情報生成部２６２は、横軸に感情の種類、縦軸に各感情におけるレベルをとった統計データ（棒グラフデータ）を、一コンテンツデータあたりの感情の評価情報として生成する。
【００９０】
図１３は、評価情報生成部２６２が生成した感情の評価情報を示す棒グラフの例である。図１３が示す評価情報によれば、この評価情報に係るコンテンツデータは、期待や喜びを伴う驚きの度合が高いコンテンツであることが分かる。
したがって、評価情報生成部２６２が生成する当該第２の例による感情の評価情報によれば、複数の感情の相対的な評価を得ることができる。
【００９１】
また、評価情報生成部２６２は、感情の種類ごとに、評価スタンプ情報に対応する時刻情報に基づいて、時刻情報が示す時刻の平均を算出してもよい。
これにより、評価が高いシーンおよびその近辺の時刻を得ることができる。
【００９２】
なお、評価情報生成部２６２は、上記の第１の例および第２の例による２種類の評価情報をともに生成してもよい。
評価情報生成部２６２は、生成した感情の評価情報を、コンテンツ識別情報に関連付けて評価情報記憶部２６３に記憶させる。
【００９３】
評価情報記憶部２６３は、評価情報生成部２６２が生成した感情の評価情報と、この評価情報に関連付けられたコンテンツ識別情報とを記憶する。
【００９４】
選定部２６４は、コンテンツ提示装置３０からの推奨コンテンツ要求情報に応じて、評価情報記憶部２６３に記憶された評価情報に基づき、一または複数のコンテンツデータを選定する。推奨コンテンツ要求情報には、感情が指定されている。
【００９５】
具体的に、選定部２６４は、コンテンツ提示装置３０からの推奨コンテンツ要求情報を受信すると、例えば、評価情報記憶部２６３に記憶された上記第１の例による評価情報（ヒストグラムデータ）をコンテンツデータごとに読み出し、各ヒストグラムにおける度数分布に応じた評価点を算出する。この評価点は、例えば、級数が増えるにしたがって大きくなる点数において、頻度が最も高い場合の点数である。最も高い頻度が複数存在する場合は、対応する複数の点数の平均値を評価点とする。例えば、図１２におけるヒストグラムにおいて、級数（１〜１０）、級数（１１〜２０）、級数（２１〜３０）、級数（３１〜４０）、および級数（４１〜５０）それぞれの点数を“１”、“２”、“３”、“４”、および“５”とした場合、当該ヒストグラムの評価点は、頻度が最も高い級数（３１〜４０）に対する点数“４”である。
【００９６】
または、選定部２６４は、コンテンツ提示装置３０からの推奨コンテンツ要求情報を受信すると、例えば、評価情報記憶部２６３に記憶された上記第２の例による評価情報（棒グラフデータ）をコンテンツデータごとに読み出し、感情の種類ごとに、レベル値の当該コンテンツ内全レベル合計値に対する割合を評価点として計算する。例えば、図１３における棒グラフにおいて、「興味」、「驚き」、「期待」、「愛情」、「喜び」、「悲しみ」、および「怒り」それぞれのレベル値を“２８”、“４５”、“３６”、“１２”、“３１”、“８”、および“１０”（全レベル合計値は“１７０”）とした場合、評価点は、“１６．５”、“２６．５”、“２１．１”、“７．１”、“１８．２”、“４．７”、および“５．９”である。
【００９７】
選定部２６４は、推奨コンテンツ要求情報に指定された感情に対応する評価点の降順に、あらかじめ決定した選択数（例えば“１０”）分のコンテンツデータを選定する。
【００９８】
関連情報送信部２７１は、選定部２６４が選定した一または複数のコンテンツデータに関する関連情報を記憶部２５０から読み込み、この関連情報および評価点を、通信回線４００を介してコンテンツ提示装置３０に送信する。
【００９９】
図１４は、コンテンツ提示装置３０が表示装置４０に表示させる作品紹介画像の例である。図１４に示す作品紹介画像１６００は、図２における作品紹介画像１０００に相当する画像である。図１４に示すように、作品紹介画像１６００には、７種類の感情を指定する感情指定画像、推奨コンテンツの画像、タイトル、評価の程度を示す評価度画像１６３０が含まれている。「驚き」を示す感情指定画像１６２０が押下されると、コンテンツ提示装置３０のコンテンツ提示部３２は、感情“驚き”を指定した推奨コンテンツ要求情報を生成し、この推奨コンテンツ要求情報を通信部３１からコンテンツサーバ装置２００に送信させる。コンテンツ提示部３２は、コンテンツサーバ装置２００が送信した関連情報および評価点を取り込むと、関連情報に基づいて推奨コンテンツの画像およびタイトルを作品紹介画像に設定する。また、コンテンツ提示装置３０は、受信した評価点に応じて評価度画像１６３０を生成し、評価度画像１６３０を作品紹介画像に設定する。また、視聴キー１６１０が押下されると、図２に示したポップアップ画像１１００が表示される。
【０１００】
図１５は、コンテンツ提示装置３０が表示装置４０に表示させるスタンプ選択領域の例である。図１５に示すスタンプ選択領域１４４１は、図７におけるスタンプ選択画像１４４０に含まれる画像領域である。スタンプ選択領域１４４１には、複数のキャラクタ型スタンプ画像と、複数の吹き出し型スタンプ画像とが含まれている。キャラクタ型スタンプ画像は、感情を表現するキャラクタの顔画像を含む。キャラクタ型スタンプ画像は、感情を表現する言葉（例えば、「おっ」、「面白い」等）をデザイン化した文字画像を含んでもよい。吹き出し型スタンプ画像は、感情を表現する言葉をデザイン化した文字画像を含む。コンテンツサーバ装置２００における記憶部２５０は、各評価スタンプ画像に感情の種類およびレベルを関係付けたスタンプ画像情報を記憶している。
【０１０１】
以上説明したとおり、本発明の一実施形態におけるコンテンツサーバ装置２００は、感情の種類およびレベルに関係付けられた評価スタンプ情報とこの評価スタンプ情報が関係付けられたコンテンツデータにおける時刻情報とを受信する評価スタンプ受信部２６１を備える。また、コンテンツサーバ装置２００は、コンテンツデータごとに、評価スタンプ受信部２６１が受信した評価スタンプ情報と時刻情報とを集計して当該コンテンツデータに対する感情の評価情報を生成する評価情報生成部２６２を備える。また、コンテンツサーバ装置２００は、評価情報生成部２６２が生成した評価情報を記憶する評価情報記憶部２６３を備える。
【０１０２】
このように構成したことにより、コンテンツサーバ装置２００は、人間の感情の種別および感情の程度（度合）に基づいて、コンテンツデータごとの、時刻情報が示す時刻における視聴者の感情とその感情の度合とを得ることができる。
【０１０３】
また、コンテンツサーバ装置２００は、評価情報記憶部２６３に記憶された評価情報に基づいて、一または複数のコンテンツデータを選定する選定部を備えてもよい。
このように構成したことにより、コンテンツサーバ装置２００は、視聴者の感情とその感情の度合とに基づいて、当該感情に合致するコンテンツデータを選定することができる。
【０１０４】
［実施形態の変形例］
なお、評価情報生成部２６２は、評価スタンプ受信部２６１が供給する評価スタンプ情報および時刻情報を取り込み、コンテンツデータにおけるチャプタごとに、評価スタンプ情報および時刻情報を集計して当該チャプタに対する感情の評価情報を生成してもよい。
【０１０５】
この場合、選定部２６４は、コンテンツ提示装置３０からのシーン要求情報に応じて、評価情報記憶部２６３に記憶された評価情報に基づき、一または複数のコンテンツデータの中から一または複数のチャプタデータをさらに選定する。そして、選定部２６４は、シーン要求情報に指定された感情に対応する評価点の降順に、一または複数のコンテンツデータから、あらかじめ決定した選択数（例えば“２０”）分のチャプタデータを選定する。
【０１０６】
関連情報送信部２７１は、選定部２６４が選定した一または複数のチャプタデータに関する関連情報を記憶部２５０から読み込み、この関連情報および評価点を、通信回線４００を介してコンテンツ提示装置３０に送信する。
【０１０７】
図１６は、コンテンツ提示装置３０が表示装置４０に表示させる作品紹介画像の例である。図１６に示す作品紹介画像１７００は、図２における作品紹介画像１０００に相当する画像である。図１６に示すように、作品紹介画像１７００には、３種類のシーン特集を指定する特集指定画像、コンテンツの画像、タイトル、評価の程度を示す評価度画像１７３０が含まれている。「驚きシーン特集」を示す特集指定画像１７２０が押下されると、コンテンツ提示装置３０のコンテンツ提示部３２は、感情“驚き”を指定したシーン要求情報を生成し、このシーン要求情報を通信部３１からコンテンツサーバ装置２００に送信させる。コンテンツ提示部３２は、コンテンツサーバ装置２００が送信した関連情報および評価点を取り込むと、関連情報に基づいてシーンの画像およびタイトルを作品紹介画像に設定する。また、コンテンツ提示装置３０は、受信した評価点に応じて評価度画像１７３０を生成し、評価度画像１７３０を作品紹介画像に設定する。また、視聴キー１７１０が押下されると、図２に示したポップアップ画像１１００が表示される。
【０１０８】
本変形例によれば、本実施形態におけるコンテンツサーバ装置２００において、選定部２６４は、評価情報記憶部２６３に記憶された評価情報に基づいて、一または複数のコンテンツデータの中から一または複数のチャプタデータをさらに選定する。
このように構成したことにより、コンテンツサーバ装置２００は、視聴者の感情とその感情の度合とに基づいて、当該感情に合致するチャプタデータを選定することができる。
【０１０９】
以上により、本発明の一実施形態およびその変形例によれば、コンテンツの視聴者は、当該コンテンツを視聴している最中に、そのときに抱いた気持ち、感情に応じた評価スタンプを投稿することができる。そして、視聴者によるその簡易な投稿（評価スタンプの投稿）によって、コンテンツサーバ装置２００は、当該コンテンツが、視聴者のどのような感情によって注目されたものであるかを検出することができる。
【０１１０】
なお、コンテンツサーバ装置２００は、評価情報記憶部２６３に記憶された評価情報を通信回線４００および中継装置２０を介してコンテンツ提示装置３０に送信してもよい。この場合、コンテンツ提示装置３０におけるコンテンツ提示部３２は、取り込んだ評価情報（例えば、感情の各種類のヒストグラム、または棒グラフ）を、例えば、作品紹介画像に含めて表示装置４０に表示させてもよい。
【０１１１】
また、評価スタンプ受信部２６１と、評価情報生成部２６２と、評価情報記憶部２６３と、選定部２６４とを、コンテンツサーバ装置２００から分離してコンテンツ評価装置に含めてもよい。
また、記憶部２５におけるコンテンツ関連情報記憶部と、関連情報送信部２７１とをコンテンツサーバ装置２００から分離してコンテンツ管理装置に含めてもとしてもよい。
コンテンツ評価装置およびコンテンツ管理装置は、コンテンツ供給システムを構成する。
【０１１２】
また、上述した実施形態であるコンテンツサーバ装置２００の一部の機能をコンピュータで実現するようにしてもよい。この場合、その制御機能を実現するためのコンテンツ評価プログラムをコンピュータ読み取り可能な記録媒体に記録し、この記録媒体に記録されたコンテンツ評価プログラムをコンピュータシステムに読み込ませて、このコンピュータシステムが実行することによって実現してもよい。なお、このコンピュータシステムとは、オペレーティング・システム（Ｏｐｅｒａｔｉｎｇ  Ｓｙｓｔｅｍ；ＯＳ）や周辺装置のハードウェアを含むものである。また、コンピュータ読み取り可能な記録媒体とは、フレキシブルディスク、光磁気ディスク、光ディスク、メモリカード等の可搬型記録媒体、コンピュータシステムに備えられる磁気ハードディスクやソリッドステートドライブ等の記憶装置のことをいう。さらに、コンピュータ読み取り可能な記録媒体とは、インターネット等のコンピュータネットワーク、および電話回線や携帯電話網を介してプログラムを送信する場合の通信回線のように、短時間の間、動的にプログラムを保持するもの、さらには、その場合のサーバ装置やクライアントとなるコンピュータシステム内部の揮発性メモリのように、一定時間プログラムを保持するものを含んでもよい。また上記のコンテンツ評価プログラムは、前述した機能の一部を実現するためのものであってもよく、さらに、前述した機能をコンピュータシステムにすでに記録されているプログラムとの組み合わせにより実現するものであってもよい。
【０１１３】
以上、本発明の実施の形態について図面を参照して詳述したが、具体的な構成はその実施形態に限られるものではなく、本発明の要旨を逸脱しない範囲の設計等も含まれる。
【符号の説明】
【０１１４】
１０  操作装置
１１  操作部
１２  送信部
２０  中継装置
３０  コンテンツ提示装置
３１  通信部
３２  コンテンツ提示部
３３  記憶部
３４  評価スタンプ取得部
４０  表示装置
２００  コンテンツサーバ装置
２１０  設定部
２２０  生成部
２３０  提供部
２４０  付加部
２５０  記憶部
２６１  評価スタンプ受信部
２６２  評価情報生成部
２６３  評価情報記憶部
２６４  選定部
２７１  関連情報送信部
３００  電子機器
４００  通信回線
【図１】
2014235533.tif 000003
【図２】
2014235533.tif 000004
【図３】
2014235533.tif 000005
【図４】
2014235533.tif 000006
【図５】
2014235533.tif 000007
【図６】
2014235533.tif 000008
【図７】
2014235533.tif 000009
【図８】
2014235533.tif 000010
【図９】
2014235533.tif 000011
【図１０】
2014235533.tif 000012
【図１１】
2014235533.tif 000013
【図１２】
2014235533.tif 000014
【図１３】
2014235533.tif 000015
【図１４】
2014235533.tif 000016
【図１５】
2014235533.tif 000017
【図１６】
2014235533.tif 000018